(57)【要約】【課題】  ロール紙繰り出し切断容器の軽量化を促進すると共に、繰り出し切断後のロール紙摘み代を次回使用のために可及的に長く残存させること。【解決手段】  上部開放の容器１に被せる上蓋３の枢支部３Ｂを経た上蓋後縁３Ｃに係合する閉蓋弾圧弾片５を容器後面板１Ｃに前向きに突設し、この弾片５の上蓋後縁１Ｃに対する上向き弾撥力で前記上蓋３の前辺３Ｄを下向きに加圧し、この前辺３Ｄに突設した下向きの紙押さえ片３Ａの下辺で前記ロール紙繰り出し部分２Ａを容器前辺３Ｄに対して弾力的に挟み付け、ロール紙２を千切らずに繰り出せる程度に弾圧制動することで、容器内ロール紙２の後退に伴うロール紙摘み代２Ｂの容器内引き込みを阻止し、ロール紙切断後に前記紙押さえ片３Ａの高さに応じた寸法の摘み代を容器外に残存可能となした。【選択図】  図１
2005152398.tif 000002
【特許請求の範囲】
【請求項１】
上部開放の容器内に収納したロール紙の繰り出し部分を容器前辺から外部に引出した後、容器側辺の後部に枢支した上蓋を容器開口縁に被せ、ロール紙繰り出し部分を上蓋前辺刃先で切断可能となしたロール紙繰り出し切断容器において、前記上蓋の枢支部を経た上蓋後縁に係合する閉蓋弾圧弾片を前記容器の後面板に前向きに突設し、この弾片の上蓋後縁に対する上向き弾撥力で前記上蓋の前辺を下向きに加圧し、この前辺に突設した下向きの紙押さえ片の下辺で前記ロール紙繰り出し部分を容器前辺に対して弾力的に挟み付け、ロール紙を千切らずに繰り出せる程度に弾圧制動することで、容器内ロール紙の後退に伴うロール紙摘み代の容器内引き込みを阻止し、ロール紙切断後に前記紙押さえ片の高さに応じた寸法の摘み代を容器外に残存可能となしたロール紙繰り出し切断容器。
【請求項２】
前記紙押さえ片の下辺を丸く形成した請求項１に記載のロール紙繰り出し切断容器。
【請求項３】
前記容器前辺上部を丸くした請求項１または２に記載のロール紙繰り出し切断容器。
【請求項４】
前記上蓋の前部側辺に突片を下向きに突設し、この突片に形成した閉蓋ロック部を容器の内面に形成した閉蓋ロック部に前記突片の撓み弾力に抗し係合させることで、前記上蓋前辺刃先に加わる上向きのロール紙切断力による閉蓋上蓋の浮上を更に阻止してなる請求項１から請求項３までに記載のロール紙繰り出し切断容器。
【請求項５】
前記容器の後面板に上蓋後縁に係合する閉蓋弾圧弾片を前向きに突設するに当たり、前記後面板に係止孔縁を形成し、この係止孔縁に前記閉蓋弾圧弾片を一体突設した弾性プラスチック製の弾片突設部材をその係止鉤片で前向きに取着してなる請求項１から請求項４までに記載のロール紙繰り出し切断容器。
【請求項６】
前記上蓋の開蓋状態を保持するための開蓋保持弾片を前記容器の後面板に突設してなる請求項１から請求項５までに記載のロール紙繰り出し切断容器。
【請求項７】
前記上蓋の開蓋状態を保持するための開蓋保持部を前記容器および上蓋の各対向部分に具備してなる請求項１から請求項５までに記載のロール紙繰り出し切断容器。
【発明の詳細な説明】
【技術分野】
【０００１】
この発明は、ロール紙または、ロール巻きシートやフィルムなどを繰り出して切断できる投げ込み収納式ロール紙繰り出し切断容器に係り、特に本発明では、上記容器の軽量化を促進すると共に、ロール紙の繰り出し切断後の摘み代を次回使用のため可及的に長く残存させ得たロール紙繰り出し切断容器に関する。
【背景技術】
【０００２】
従来の投げ込み収納式のロール紙繰り出し切断容器としては、下記の特許文献１や非特許文献１に記載のものなどが周知である。
これらの各従来の技術は、いずれも、後面を壁面などに定着設置して使用する上部開放の投げ込み収納式の容器内にロール紙を投げ込んで収納した後、その繰り出し部分を容器前辺から手前に繰り出し定位するとともに、前記容器の後部で枢支した上蓋をその自重または、錘付き上蓋の重力で容器開口縁に被せ、この上蓋下部と容器前辺とでロール紙繰り出し部分を挟み付けて制動し、容器内ロール紙の後退に伴うロール紙摘み代の容器内引き込みを阻止するとともに、この繰り出し部分を容器または、上蓋の前辺に横設した刃先でカットできるとしたロール紙繰り出し切断容器である。
【特許文献１】特開平８−１９６４６７号公報
【非特許文献１】実開平５−８２３９３号公報
【発明の開示】
【発明が解決しようとする課題】
【０００３】
これら各従来例を初めとして従来の投げ込み収納式のロール紙繰り出し切断容器の多くは、一般に前記容器の後部で枢支した上蓋をその自重、または錘の重力で容器の開口縁に被せて前記のように上蓋下部と容器前辺とでロール紙繰り出し部分を挟み付けて制動し、容器内ロール紙の後退に伴うロール紙摘み代の容器内引き込みを阻止するとともに、ロール紙切断時に閉蓋状態にある上蓋を妄りに動かなくするものだから、上蓋自体や上記錘をそれぞれ重くする必要があり、ロール紙繰り出し切断容器全体としてもかなりの重量物となるため、その製造・運搬・保管・販売・購入・使用のすべての面で扱い辛く不便で面倒であり、価格的にも不利であるという本質的かつ、大きな問題点が有るし、ロール紙繰り出し部に切断刄が接近しているので、ロール紙の繰り出し切断後の摘み代が短くなってしまい、ロール紙の次回繰り出し使用に当たり、摘み代が摘み辛く誠に不便であるという本質的な問題点が有る。
【０００４】
他の従来例として、下記の非特許文献２に記載のもののように、ロール紙繰り出し部分をカットする容器前辺の反対側の後部外方に上蓋を大きく回動させて開蓋する卓上タイプのロール紙繰り出し切断容器も有るが、この従来例は容器後面をトイレ壁面などに定着設置しようとすると上蓋が開かなくなるので、容器後面を壁面に定着して使用するには、この従来例公報第５図とその説明のように、容器上蓋を容器本体から分離できる着脱式の被せ蓋とする必要があり、この被せ蓋は分離紛失し易いし、その保管や取り扱いも面倒で厄介であるだけでなく、上蓋を重くしないとロール紙繰り出し時にその擦過摩擦で上蓋が跳ね上がったり、折角のロール紙繰り出し撮み代が容器内に引き込まれてしまうことも有るため、この従来例でも前記各従来例と同様にロール紙繰り出し切断容器全体としてかなりの重量物となり、その製造・管理・運搬・保管・販売・購入・使用のすべての面で扱い辛く不便で面倒であるという本質的かつ、大きな問題点が有るし、この従来例公報第２図におけるロール紙切断後の摘み代は、上向き可動刄板の下向き復帰により、刄板の下側に潜り込んでしまい易く、ロール紙の次回繰り出し使用に当たり、摘み代が摘み辛く誠に不便であるという本質的な問題点が有る。
【非特許文献２】実開昭６１−１０９３９０号公報
【０００５】
この発明は、上記従来例における問題点を解決するために、ロール紙または、これに近似したロール巻きシートやフィルムなどを投げ込み収納できるロール紙繰り出し切断容器の軽量化を促進すると共に、繰り出し切断後のロール紙摘み代を次回使用のために可及的に長く残存させることを目的とする。
【課題を解決するための手段】
【０００６】
上記した本発明の目的は、上部開放の容器内に収納したロール紙の繰り出し部分を容器前辺から外部に引出した後、容器側辺の後部に枢支した上蓋を容器開口縁に被せ、前記繰り出し部分を上蓋前辺刃先で切断可能となしたロール紙繰り出し切断容器を作るに当り、前記上蓋の枢支部を経た上蓋後縁に係合する閉蓋弾圧弾片を前記容器の後面板に前向き突設し、この弾片の上蓋後縁に対する上向き弾撥力で前記上蓋の前辺を下向きに加圧し、この前辺に突設した下向きの紙押さえ片の下辺で前記ロール紙繰り出し部分を容器前辺に対して弾力的に挟み付け、ロール紙を千切らずに繰り出せる程度に弾圧制動することで、容器内ロール紙の後退に伴うロール紙摘み代の容器内引き込みを阻止し、ロール紙切断後に前記紙押さえ片の高さに応じた寸法の摘み代を容器外に残存させることで達成できた。
【発明の効果】
【０００７】
本発明は、以上のような手段を採用したので、以下に記載の効果を奏する。
本発明における請求項１の発明によれば、前記上蓋の枢支部を経た上蓋後縁に係合する閉蓋弾圧弾片を前記容器の後面板に前向きに突設し、この弾片の上蓋後縁に対する上向き弾撥力で前記上蓋の前辺を下向きに加圧し、この前辺に突設した下向きの紙押さえ片の下辺で前記ロール紙繰り出し部分を容器前辺に対して弾力的に挟み付け、ロール紙を千切らずに繰り出せる程度に弾圧制動することができ、容器内ロール紙の後退に伴うロール紙摘み代の容器内引き込みを阻止できたので、軽い上蓋を用いても、前記閉蓋弾圧弾片の弾撥力により、ロール紙切断後における肝心のロール紙摘み代を前記紙押さえ片の高さに応じた寸法だけ容器外に常に残存確保でき、前記各従来例における重い上蓋や錘付きの上蓋が、本発明では必要ないから、本発明によるロール紙繰り出し切断容器は、その製造・管理・運搬・販売・購入・使用のすべての面で前記各従来例よりも格段に優れ、価格的にも有利になったという優れた効果が有る。
【０００８】
また、特にこの発明では、ロール紙切断後に前記紙押さえ片の高さに応じたかなり長い摘み代を容器外に残存確保できるので、ロール紙の次回繰り出し使用に当たり、その摘み代を常に摘み出し易い状態に維持できるという優れた効果も有るほかに、閉蓋弾圧弾片を容器の後面板に前向きに設けたので、容器内にはロール紙の収納や繰り出しを邪魔するものが皆無であり、容器内外がスッキリした感じのスマートで使い勝手のよいロール紙繰り出し切断容器を安価に多量製造できたという多くの優れた効果が有る。
【０００９】
本発明における請求項２および請求項３の各発明によれば、前記諸効果に加え、前記上蓋の前辺下面に突設した下向きの紙押さえ片の下辺や前記容器前辺上面を丸み付けしたので、ロール紙の弾圧挟支部分が滑らかで無用な引っ掛かり部分がなくなり、薄手一枚のロール紙でも容器前辺に対してロール紙を千切らずに繰り出せる程度に弾圧して制動でき、容器内ロール紙の後退に伴うロール紙摘み代の容器内引き込みを阻止できたという効果を付加できたし、本発明における請求項４の発明のように、前記上蓋の前部側辺に突片を下向きに突設し、この突片に形成した閉蓋ロック部（突起や凹所とか孔）を容器の内面に形成した（凹所や孔とか突起）閉蓋ロック部に前記突片の撓み弾力に抗し係合させれば、前記上蓋前辺刃先に加わる上向きのロール紙切断力による閉蓋上蓋の無用な浮上をダメ押し的に阻止できるので、上蓋を妄りに浮上させずにロール紙を無造作に片手で繰り出し切断でき、しかも前記弾圧閉蓋状態を長期間安定に維持できたという効果を付加できた。
【００１０】
本発明における請求項５の発明によれば、前記諸効果に加え、前記容器の後面板に上蓋の枢支部を経た上蓋後縁に係合する閉蓋弾圧弾片を前向きに突設するに当たり、前記後面板に係止孔縁を形成し、この係止孔縁に前記閉蓋弾圧弾片を一体突設した弾性プラスチック製の弾片突設部材をその係止鉤片で前向きに取着したので、容器後面板に対する閉蓋弾圧弾片の取り付け作業性を一段と高め得たという工業的な効果を付加できたし、また本発明おける請求項６および請求項７に記載の発明のように、前記上蓋の開蓋状態を保持するための開蓋保持弾片を前記容器の後面板に突設したり、前記開蓋保持部を前記容器および上蓋の各対向部分に具備したことで、開蓋状態にある上蓋は妄りに倒れず、ロール紙交換をより一層安全かつ、容易に実行できるという効果を付加できた。
【発明を実施するための最良の形態】
【００１１】
本発明を実施するための最良の形態例について図面を参照して説明する。
この発明の基本的な実施形態の一例としては、図１・図２のようにトイレの壁面などに定着設置して使用する金属やプラスチックなどで側面ほぼ円形に作った上半分開放の容器１内にロール紙２を投げ込み式に収納し、その繰り出し部分２Ａを容器前辺１Ａから外部に引出し、その上から容器開口縁１Ｂに金属やプラスチックなどで側面ほぼ弧形に作った紙押さえ片３Ａ付きの上蓋３をその後部両側における枢支部３Ｂを支点として図３のように被せ、前記繰り出し部分２Ａを上蓋前辺刃先４で同図３のように切断可能となしたロール紙繰り出し切断容器を構成する。
【００１２】
次いで本発明では、前記上蓋３の枢支部３Ｂを経た上蓋後縁３Ｃに係合する閉蓋弾圧弾片５を前記容器１の後面板１Ｃに上記各図のように前向きに突設し、この弾片の上蓋後縁３Ｃに対する上向き弾撥力で前記枢支部３Ｂを経た上蓋３の前辺３Ｄを図３のように下向きに加圧し、この上蓋前辺３Ｄに下向きに突設した前記紙押さえ片３Ａの丸み付け下辺で前記ロール紙繰り出し部分２Ａを容器前辺１Ａの丸み付けした上面に対して同図３のように弾力的に挟み付け、ロール紙２を千切らずに繰り出せる程度に弾圧制動することで、容器１内ロール紙２の後退に伴うロール紙繰り出し部分２Ａの容器内引き込みを阻止すると共に、ロール紙切断後に前記紙押さえ片３Ａの高さに応じた寸法のかなり長い摘み代２Ｂを容器外に常に残存確保できる本発明のロール紙繰り出し切断容器を構成できた。
【００１３】
次に、前記容器１の後面板１Ｃに上蓋後縁３Ｃに係合する閉蓋弾圧弾片５を前向きに突設する具体例に付いて説明する。
先ず、前記容器１の後面板１Ｃに前記上蓋枢支部３Ｂを経た上蓋後縁３Ｃに係合してこれを手前斜め上向きに弾撥する前下がり斜面５Ａ付きの閉蓋弾圧弾片５を一体成形した強弾性プラスチックなどで作った弾片突設部材６を図４のように用意する。
そして、前記弾片突設部材６に突設した係止鉤片６Ａを同図４の矢示のように容器後面板１Ｃの係止孔縁１Ｄに宛がいつつ、上記鉤片６Ａをその固有弾力に抗して係入後、この係止孔縁１Ｄに前記係止鉤片６Ａをその弾力により、パチンと復帰させて図２のように係合することで、容器後面板１Ｃに前記弾片突設部材６を定着して前記閉蓋弾圧弾片５を前記各図のように容器１の後面板１Ｃに前向きに突設することができ、この弾片５の前記上蓋後縁３Ｃに対する上向き弾撥力で、上蓋枢支部３Ｂを経た上蓋前辺下面の紙押さえ片３Ａをテコの原理で容器前辺１Ａの上面にロール紙繰り出し部分２Ａを挟み図３のように弾圧させて閉蓋維持できる。
【００１４】
なお、前記のように被せ終えた上蓋３の後縁３Ｃに対する閉蓋弾圧弾片５の前下がり斜面５Ａまたは手前斜め上に弾撥するようにした弾片５自体による閉蓋維持弾撥力は、上蓋枢支部３Ｂを経た前記紙押さえ片３Ａと容器前辺１Ａの上面とで、繰り出し途中のロール紙２が千切れない程度に挟んで弾圧制動できる程度で、容器内ロール紙の後退に伴う容器外ロール紙繰り出し部分２Ａの容器内引き込みを阻止できる程度の強度に設定する。
【００１５】
上記弾圧閉蓋状態における上蓋３をダメ押し的に閉蓋維持できるようにするには、図１のように上蓋３の前部側辺に下向きの突片７を突設し、前記突片７の外面に形成した斜面付き突起（または単なる突起や凹所とか孔）などの閉蓋ロック部７Ａを前記容器１の前部側辺内面に同図１のように形成した斜面付き突起（または凹所や孔とか単なる突起）などの閉蓋ロック部７Ｂに上蓋閉蓋時に図５における矢示の順序で各閉蓋ロック部７Ａ・７Ｂ同士を前記突片７の弾力に抗してパチンと係合させることで、上記弾圧閉蓋状態をダメ押し的に維持でき、閉じた上蓋３にロール紙切断による上向きのやや強いロール紙切断力が加わっても、前記上蓋３を押さえずにその前辺刃先４でロール紙繰り出し部分２Ａを上記図３のように片手切断できるようになった。
【００１６】
ただし、各閉蓋ロック部７Ａ・７Ｂ同士の弾接係合ポイントは、使用ロール紙２の紙質や厚みの多様性を考慮して、前記弾圧閉蓋状態にある上蓋３が前記閉蓋弾圧弾片５の弾撥力に抗して上向きに約１ｍｍ程度持ち上がるように若干のアロワンスを持たせて各閉蓋ロック部７Ａ・７Ｂの突設箇所を位置決めする。
また、上記各閉蓋ロック部７Ａ・７Ｂ同士の係合強度は、前記弾圧閉蓋状態を維持して二枚合わせや厚手のロール紙２を上蓋前辺刃先４で切断する時のように、閉蓋状態にある上蓋３にやや強い上向きのロール紙切断力が加わっても、上蓋３が図２のように妄りに浮上せず、かつ、閉蓋上蓋３を所望時に手指などで開蓋できる程度の強度に設定する。
【００１７】
本発明の全体的な構成は以上のようなもので、以下本発明におけるロール紙繰り出し切断容器の実際的な使用動作例について説明する。
先ず、図１・図２のような上蓋開蓋状態にある容器１内にロール紙２を収納し、その繰り出し部分２Ａを上記各図における鎖線のように繰り出し定位した後、容器開口縁１Ｂの後部に枢支部３Ｂで枢支した開蓋状態にある上蓋３を下向きに閉じ始め、これが閉じ終わる直前になるとテコの原理で上向きに回動しつつある上蓋後縁３Ｃに閉蓋弾圧弾片５の前下がり斜面５Ａまたは、手前斜め上向きに弾撥する弾片５自体が図６における矢示方向に向かう順序を経て弾接係合し、上蓋後縁３Ｃを押し上げ、テコの原理で上蓋３を閉じる向きに加圧して上蓋３を図３のようにロール紙繰り出し部の弾圧閉蓋状態を維持できる。
【００１８】
この被せ終えた上蓋３には、前記かなり強い閉蓋弾撥力による閉蓋力と上蓋自重による閉蓋力とが引き続き加わっているため、上蓋前辺下面の紙押さえ片３Ａと容器前辺１Ａの上面とで、繰り出し途中のロール紙２が千切れない程度に図３のように弾力的に挟み付けて弾圧制動できると共に、図３のように上蓋前辺刃先４でロール紙を切断した後における容器内ロール紙の後退に伴う容器外ロール紙繰り出し部分２Ａや摘み代２Ｂの容器内引き込みを阻止してロール紙切断後に前記紙押さえ片３Ａの高さに応じた寸法の摘み代２Ｂを容器外に残存確保できる使用待機状態となっている。
【００１９】
次いで、上蓋３の前部側辺に突設した突片７の閉蓋ロック部７Ｂとこれに対向す容器１の閉蓋ロック部７Ａとをそれぞれ手指などの外力により、前記突片７の弾力に抗し図５の矢示方向に向かう順序で係合させることで、上記弾圧閉蓋状態をダメ押し的に維持できるから、前記ロール紙２が二枚合わせのロール紙でも、その切断時における閉じた上蓋３に上向きのロール紙切断力が加わっても、前記上蓋３を手指などで押さえずに、その前辺刃先４でロール紙繰り出し部分２Ａを前記図３のように片手で無造作に切断して使用でき、この切断後には、同図３のように紙押さえ片３Ａの高さに応じた寸法の摘み代２Ｂを前辺刃先４の下部における容器外に前記のように残存確保できる。
【００２０】
その後、容器１内のロール紙２を使い終えた時は、閉蓋状態にある上蓋３を前記各閉蓋ロック部７Ａ・７Ｂの係合弾力および前記閉蓋弾圧弾片５の係合弾力にそれぞれ抗し、手指などで前記図５における矢示と反対方向の順序を経て開け始め、次いで図６における矢示方向とは反対向きの順序を経て図１および図２のようにほぼ直立に開蓋して容器１内の空の芯管２Ｃを取り出し、新しいロール紙２と交換でき、その繰り出し部分２Ａを前記のように繰り出し定位した後、容器開口縁１Ｂに上蓋３を前記図３のように被せることで、上記新しいロール紙２を前記と同様に使用できる。
【実施例】
【００２１】
本発明における閉蓋弾圧弾片５の突設手段は、前記の突設手段以外に例えば上記閉蓋弾圧弾片５をゼンマイ鋼などの強弾性材で作り、これを容器後面板１Ｃの内面にねじ止めとかインサート成形などで突設してもよく、また、上記弾片５を例えばプラスチック容器１の成形時に容器後面板１Ｃに一体的に成形したり、閉蓋弾圧弾片５を強弾性プラスチック材により容器１の成形時に同一金型内で所謂二色一体成形して突設してもよく、さらに上記弾片５を一体突設した弾片突設部材６は、容器後面板１Ｃにねじ止めや接着などで定着することで、上記弾片５を容器後面板１Ｃに突設してもよく、また、上蓋３の前部における両側に突片７を突設すればロール紙２の両側を繰り出し案内することもできる。
【００２２】
なお、前述した開蓋状態にある上蓋３が妄りに倒れないようにするには、上蓋３の開蓋状態を保持するための開蓋維持弾片６Ｂを前記各図のように容器後面板１Ｃに突設し、図２のように上蓋後縁３Ｃを弾力的に支持するようにしたり、前記容器１および上蓋３の各対向部分に突片や雌雄係合部などの周知の開蓋保持部を具備することで可能となった。
また、前記容器１と上蓋３との側面形状をそれぞれほぼ円形およびほぼ弧形とすることで、より一層小型軽量かつ、スマートなロール紙繰り出し切断容器となるし、さらに前記上蓋前辺下面の紙押さえ片３Ａに前記ロール紙２の周方向に沿わせて複数の縦リブ３Ｅを並列突設することで、ロール紙２の繰り出し部分２Ａの弾圧部分がスポット的に分散するため、ロール紙２の繰り出し案内のスムース化と、その千切れ防止とがそれぞれより一層確実になったし、前記上蓋前辺刃先４としては、ポリエステル・エラストマなどの柔軟で表面摩擦が大きい可撓弾性プラスチックで櫛歯状に射出成形した柔軟な刃先板を取着して用いてもよい。
【産業上の利用可能性】
【００２３】
本発明によるロール紙繰り出し切断容器は、ロール巻きシートやロール巻きフィルムなどを繰り出して切断できる投げ込み収納式繰り出し切断容器としても利用できる。
【図面の簡単な説明】
【００２４】
【図１】本発明による実施形態の一例を示す開蓋斜視図
【図２】図１に示すものの縦断側面図
【図３】本発明容器の閉蓋使用状態を示す縦断側面図
【図４】本発明容器の後部に弾片突設部材を取着する例を示す斜視図
【図５】本発明における閉蓋ロック部の要部拡大断面図
【図６】本発明における上蓋開閉状態を示す要部拡大断面図
【符号の説明】
【００２５】
１…ロール紙収納容器  １Ａ…容器前辺  １Ｂ…容器開口縁
１Ｃ…容器後面板  １Ｄ…容器後面板の係止孔縁
２…ロール紙  ２Ａ…ロール紙繰り出し部分  ２Ｂ…ロール紙摘み代
２Ｃ…ロール紙芯管
３…上蓋  ３Ａ…上蓋前辺の紙押さえ片  ３Ｂ…上蓋枢支部
３Ｃ…上蓋後縁  ３Ｄ…上蓋前辺  ３Ｅ…上蓋下面の縦リブ
４…上蓋の前辺刃先
５…閉蓋弾圧弾片  ５Ａ…閉蓋弾圧弾片の前下がり斜面
６…弾片突設部材  ６Ａ…係止鉤片  ６Ｂ…開蓋維持弾片
７…上蓋の側辺突片  ７Ａ・７Ｂ…閉蓋ロック部
【図１】
2005152398.tif 000003
【図２】
2005152398.tif 000004
【図３】
2005152398.tif 000005
【図４】
2005152398.tif 000006
【図５】
2005152398.tif 000007
【図６】
2005152398.tif 000008